(57)【要約】【課題】操作者の面倒な操作を必要とすることなく、無線タグから取得した電子ファイルに対し各種処理機能を実行でき、操作者の利便性を向上する。【解決手段】プロジェクタ１００は、電子ファイルのアドレス情報及び処理動作を実行可能な機器情報を記憶保持したＩＣ回路部１５０を備えた無線タグ回路素子Ｔoとの間で情報の送受信を行うアンテナ２１０と、アクセス情報を生成して無線タグ回路素子Ｔoへ送信し、その返信信号より機器情報を取得し、その取得した前記機器情報に基づきファイル情報を取得する統制制御部１０４及び制御回路２０２とを有する。【選択図】図４
2006260229.tif 000002
【特許請求の範囲】
【請求項１】
情報を記憶可能なＩＣ回路部とこのＩＣ回路部に接続されるタグ側アンテナとを備えた無線タグ回路素子を有し、
前記ＩＣ回路部は、処理対象となる電子ファイルに関するファイル情報と、前記電子ファイルに対し前記処理動作を実行可能な機器に関する機器情報とを記憶保持していることを特徴とする無線タグ。
【請求項２】
請求項１記載の無線タグにおいて、
前記ＩＣ回路部は、前記無線タグ回路素子を識別するための識別子情報を記憶保持していることを特徴とする無線タグ。
【請求項３】
請求項１又は２記載の無線タグにおいて、
前記ＩＣ回路部は、処理動作を実行する機器から発信され前記タグ側アンテナで受信された前記ＩＣ回路部へのアクセス情報に含まれる所定の識別情報に応じて、前記ファイル情報の返信を行うか行わないかを切替制御する返信制御手段を備えることを特徴とする無線タグ。
【請求項４】
請求項１乃至３のいずれか１項記載の無線タグにおいて、
前記ＩＣ回路部は、前記機器情報に含まれる前記機器の備える動作機能のうち前記電子ファイルに対して許容される動作に関する動作情報を記憶保持することを特徴とする無線タグ。
【請求項５】
請求項１乃至４のいずれか１項記載の無線タグにおいて、
前記ＩＣ回路部は、前記機器情報として、前記電子ファイルに対し前記処理動作を実行可能な複数種類の機器に関する情報を記憶保持していることを特徴とする無線タグ。
【請求項６】
請求項１乃至５のいずれか１項記載の無線タグにおいて、
前記ＩＣ回路部は、前記ファイル情報として、処理対象となる複数の前記電子ファイルに関する情報を記憶保持していることを特徴とする無線タグ。
【請求項７】
請求項１乃至６のいずれか１項記載の無線タグにおいて、
前記無線タグ回路素子を取り付けるための略四角薄板形状のカード基材を備えることを特徴とする無線タグ。
【請求項８】
少なくとも、処理対象となる電子ファイルに関するファイル情報と、前記電子ファイルに対し前記処理動作を実行可能な機器に関する機器情報とを記憶保持しているＩＣ回路部を備えた無線タグ回路素子との間で無線通信により情報の送受信を行う機器側アンテナと、
前記ＩＣ回路部へのアクセス情報を生成し、前記機器側アンテナを介して前記無線タグ回路素子へ送信し、前記ＩＣ回路部からの情報読み取りを行う機器側情報アクセス手段と、
この機器側情報アクセス手段による前記アクセス情報に応じて前記無線タグ回路素子よりそれぞれ返信された返信信号を、前記機器側アンテナで受信する返信信号受信手段と、
この返信信号受信手段で受信された前記返信信号より、前記機器情報を取得する機器情報取得手段と、
この機器情報取得手段で取得した前記機器情報に基づき、前記ファイル情報を取得するファイル情報取得手段とを有することを特徴とする無線通信機器。
【請求項９】
請求項８記載の無線通信機器において、
前記ファイル情報取得手段で取得した前記ファイル情報に対応した前記電子ファイルに対し、対応する前記処理動作を実行するように動作制御を行う処理動作制御手段を有することを特徴とする無線通信機器。
【請求項１０】
請求項８又は９記載の無線通信機器において、
前記機器情報取得手段で取得した前記機器情報が、当該無線通信機器に対応するものではなかった場合に、これに対応した表示を行う表示手段を有することを特徴とする無線通信機器。
【請求項１１】
請求項８乃至１０のいずれか１項記載の無線通信機器において、
当該無線通信機器による前記処理動作に係わる性能情報を生成し、前記機器側アンテナを介して前記無線タグ回路素子へ送信する性能情報送信手段を有することを特徴とする無線通信機器。
【請求項１２】
請求項８乃至１１のいずれか１項記載の無線通信機器において、
前記ファイル情報取得手段で取得した前記ファイル情報を表示手段に表示させるための操作用図像を当該表示手段上に表示させる図像表示信号を生成する図像表示信号生成手段を有することを特徴とする無線通信機器。
【請求項１３】
情報を記憶可能なＩＣ回路部とこのＩＣ回路部に接続されるタグ側アンテナとを備えた無線タグ回路素子を有し、前記ＩＣ回路部が、少なくとも、処理対象となる電子ファイルに関するファイル情報と、前記電子ファイルに対し前記処理動作を実行可能な機器に関する機器情報とを記憶保持している無線タグと、
この無線タグの前記無線タグ回路素子との間で無線通信により情報の送受信を行う機器側アンテナと、前記ＩＣ回路部へのアクセス情報を生成し、前記機器側アンテナを介して前記無線タグ回路素子へ送信し、前記ＩＣ回路部からの情報読み取りを行う機器側情報アクセス手段と、この機器側情報アクセス手段による前記アクセス情報に応じて前記無線タグ回路素子よりそれぞれ返信された返信信号を、前記機器側アンテナで受信する返信信号受信手段と、この返信信号受信手段で受信された前記返信信号より、前記機器情報を取得する機器情報取得手段と、この機器情報取得手段で取得した前記機器情報に基づき、前記ファイル情報を取得するファイル情報取得手段とを有する無線通信機器と
を備えたことを特徴とする無線通信システム。
【請求項１４】
情報を記憶するＩＣ回路部を備えた無線タグ回路素子との間で無線通信により情報の送受信を行う装置側アンテナと、
処理対象となる電子ファイルに関するファイル情報を生成するファイル情報生成手段と、
前記電子ファイルに対し前記処理動作を実行可能な機器に関する機器情報を生成する機器情報生成手段と、
前記ＩＣ回路部へのアクセス情報を生成するアクセス情報生成手段と、
前記ファイル情報、前記機器情報、及び前記アクセス情報を前記装置側アンテナを介して前記無線タグ回路素子へ送信し、前記ＩＣ回路部への情報書き込みを行う装置側情報アクセス手段とを有することを特徴とする無線タグ作成装置。
【請求項１５】
請求項１４記載の無線タグ作成装置において、
前記ファイル情報生成手段は、前記ファイル情報として、処理対象となる電子ファイルが格納されたファイルへのリンク情報ファイルをアドレス管理サーバに作成するための信号と、そのアドレス管理サーバにおける前記リンク情報ファイルへアクセスするためのファイルアクセス情報を生成し、
前記装置側情報アクセス手段は、前記ファイルアクセス情報、前記機器情報、及び前記アクセス情報を前記装置側アンテナを介して前記無線タグ回路素子へ送信し、前記ＩＣ回路部への情報書き込みを行うことを特徴とする無線タグ作成装置。
【発明の詳細な説明】
【技術分野】
【０００１】
本発明は、非接触で情報の読み取り／書き込みを行える無線タグ、その情報を用いて動作する無線通信機器、それら無線タグ及び無線通信機器を含む無線通信システム、及び当該無線タグを作成する無線タグ作成装置に関する。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用化されつつある。
【０００３】
例えばリーダとして携帯情報端末を用いた従来技術として、特許文献１に記載のものがある。この従来技術では、広告媒体に添付した無線タグに記憶された無線タグ情報が、当該広告のウェブサイトのＵＲＬ情報を含んでおり、無線通信機器としての携帯情報端末で当該無線タグ回路素子より無線タグ情報の読み取りを行うと、自動的に当該携帯情報端末にて上記ＵＲＬへのアクセスを行って当該ウェブサイトの内容を表示させるようになっている。
【０００４】
【特許文献１】実用新案登録３０８５０５０号公報
【発明の開示】
【発明が解決しようとする課題】
【０００５】
上述したように、無線タグを用いた無線通信によるデータ送受は既に知られており、広い分野で実用化されつつある。しかしながら、無線タグにアクセスして所定のデータの取得を行った後、さらにそのデータ（いわゆる電子ファイル等）をプリンタで印刷したり、プロジェクタにて投影したり、あるいはデータ自体を編集したり等の処理を実行したい場合には、通常、当該電子ファイルを無線タグから無線通信機器側にインストール後、その無線通信機器において当該インストールした電子ファイルをいちいち指定して対応する動作（印刷、投影、編集又はその準備のための一覧表示等）を行わせる必要がある。このため、操作者にとって面倒で煩わしい手間が避けられず、利便性の点で難があった。
【０００６】
上記従来技術にあっても、無線タグの添付物（広告）に関するＵＲＬにアクセスし所定のデータを取得した後、携帯端末側に元々備えられている画像表示機能や音声発生機能といった単純な機能を用いて所定の表示や楽曲等を提供するものに過ぎず、上記印刷、投影、編集等のさらに拡張された複雑な処理機能を行えるものではない。
【０００７】
本発明の目的は、操作者の面倒な操作を必要とすることなく、無線タグから取得した電子ファイルに対し各種処理機能を実行でき、操作者の利便性を向上できる無線タグ、その処理動作を行う無線通信機器、それら無線タグ及び無線通信機器を含む無線通信システム、及び当該無線タグを作成する無線タグ作成装置を提供することにある。
【課題を解決するための手段】
【０００８】
上記目的を達成するために、第１の発明は、情報を記憶可能なＩＣ回路部とこのＩＣ回路部に接続されるタグ側アンテナとを備えた無線タグ回路素子を有し、前記ＩＣ回路部は、処理対象となる電子ファイルに関するファイル情報と、前記電子ファイルに対し前記処理動作を実行可能な機器に関する機器情報とを記憶保持していることを特徴とする。
【０００９】
本願第１発明においては、無線タグ回路素子のＩＣ回路部が、ファイル情報、機器情報を記憶保持している。これにより、この無線タグ回路素子に対し例えば無線通信機器側よりアクセスしてＩＣ回路部から情報読み取りを行うことで、機器側において自動的に機器情報やファイル情報を取得することが可能となる。したがって、その取得したファイル情報に基づき当該無線通信機器が対応する電子ファイルに対しさらに所定の処理動作を自動的に実行するようにすることで、当該電子ファイルを処理後の形態（印刷物等）で持ち歩く必要がなくなるとともに、電子ファイルを無線タグから無線通信機器側にインストール後に機器内において当該インストールした電子ファイルをいちいち指定して対応する処理動作（印刷、投影、編集又はその準備のための一覧表示等）を行わせる手間がなくなる。この結果、操作者の利便性を大きく向上することができる。
【００１０】
第２発明は、上記第１発明において、前記ＩＣ回路部は、前記無線タグ回路素子を識別するための識別子情報を記憶保持していることを特徴とする。
【００１１】
これにより、通信可能範囲に複数の無線タグが存在したときでも、識別子情報を用いて対象とする無線タグ回路素子を特定することで、効率よく目的の無線タグにアクセスできる。
【００１２】
第３発明は、上記第１又は第２発明において、前記ＩＣ回路部は、処理動作を実行する機器から発信され前記タグ側アンテナで受信された前記ＩＣ回路部へのアクセス情報に含まれる所定の識別情報に応じて、前記ファイル情報の返信を行うか行わないかを切替制御する返信制御手段を備えることを特徴とする。
【００１３】
これにより、無線タグ回路素子のＩＣ回路部の情報を読みとろうとアクセスしてきた無線通信機器が例えば機器種別ＩＤや機器個体ＩＤ等の所定の識別情報を無線タグ回路素子へ送信したときのみファイル情報の返答を行うようにすることができるので、セキュリティーを向上することができる。
【００１４】
第４発明は、上記第１乃至第３発明のいずれか１つにおいて、前記ＩＣ回路部は、前記機器情報に含まれる前記機器の備える動作機能のうち前記電子ファイルに対して許容される動作に関する動作情報を記憶保持することを特徴とする。
【００１５】
これにより、機器情報によって処理対象として許容される無線通信機器を特定するのみならず、さらにその特定された無線通信機器において電子ファイルの処理動作として許容される動作を限定して指定し、それ以外の動作は禁止することができる。
【００１６】
第５発明は、上記第１乃至第４発明のいずれか１つにおいて、前記ＩＣ回路部は、前記機器情報として、前記電子ファイルに対し前記処理動作を実行可能な複数種類の機器に関する情報を記憶保持していることを特徴とする。
【００１７】
これにより、複数種類の機器を電子ファイルの処理対象機器として認容することが可能となる。
【００１８】
第６発明は、上記第１乃至第５発明のいずれか１つにおいて、前記ＩＣ回路部は、前記ファイル情報として、処理対象となる複数の前記電子ファイルに関する情報を記憶保持していることを特徴とする。
【００１９】
これにより、複数の電子ファイルを、対応する所定の無線通信機器において一括して処理することが可能となる。
【００２０】
第７発明は、上記第１乃至第６発明のいずれか１つにおいて、前記無線タグ回路素子を取り付けるための略四角薄板形状のカード基材を備えることを特徴とする。
【００２１】
これにより、無線タグを、例えば名刺大等各種サイズのカードタイプ形状として構成することができる。印刷された紙に取り付けることも可能である。
【００２２】
上記目的を達成するために、本願第８発明の無線通信機器は、少なくとも、処理対象となる電子ファイルに関するファイル情報と、前記電子ファイルに対し前記処理動作を実行可能な機器に関する機器情報とを記憶保持しているＩＣ回路部を備えた無線タグ回路素子との間で無線通信により情報の送受信を行う機器側アンテナと、前記ＩＣ回路部へのアクセス情報を生成し、前記機器側アンテナを介して前記無線タグ回路素子へ送信し、前記ＩＣ回路部からの情報読み取りを行う機器側情報アクセス手段と、この機器側情報アクセス手段による前記アクセス情報に応じて前記無線タグ回路素子よりそれぞれ返信された返信信号を、前記機器側アンテナで受信する返信信号受信手段と、この返信信号受信手段で受信された前記返信信号より、前記機器情報を取得する機器情報取得手段と、この機器情報取得手段で取得した前記機器情報に基づき、前記ファイル情報を取得するファイル情報取得手段とを有することを特徴とする。
【００２３】
本願第８発明においては、無線タグ回路素子が少なくともファイル情報、機器情報をＩＣ回路部に記憶保持しており、この無線タグ回路素子に対し、機器側情報アクセス手段より機器側アンテナを介してアクセス情報を送信してＩＣ回路部から情報読み取りを行う。そして無線タグ回路素子からの返信信号が返信信号受信手段で受信され、その返信信号から機器情報取得手段によって機器情報が取得され、さらにその機器情報に基づきファイル情報取得手段によってファイル情報が取得される。このようにして、処理対象となる無線タグ回路素子を備えた無線タグを例えば無線通信機器近傍（通信可能範囲）に位置させるだけで、機器側で自動的にファイル情報が取得される。したがって、この取得したファイル情報に基づき対応する電子ファイルに対しさらに当該機器が所定の処理動作を自動的に実行するようにすれば、当該電子ファイルを処理後の形態（印刷物等）で持ち歩く必要がなくなるとともに、電子ファイルを機器にインストール後に機器内において当該インストールした電子ファイルをいちいち指定して対応する処理動作（印刷、投影、編集又はその準備のための一覧表示等）を行わせる手間がなくなる。この結果、操作者の利便性を大きく向上することができる。
【００２４】
第９発明は、上記第８発明において、前記ファイル情報取得手段で取得した前記ファイル情報に対応した前記電子ファイルに対し、対応する前記処理動作を実行するように動作制御を行う処理動作制御手段を有することを特徴とする。
【００２５】
ファイル情報取得手段によって取得されたファイル情報に対応した電子ファイルに対し、処理動作制御手段の制御によって対応する処理動作を自動的に実行することにより、機器内にインストールした電子ファイルをいちいち指定して機器に対応する動作を行わせる手間がなくなり、確実に操作者の利便性を大きく向上することができる。
【００２６】
第１０発明は、上記第８又は第９発明において、前記機器情報取得手段で取得した前記機器情報が、当該無線通信機器に対応するものではなかった場合に、これに対応した表示を行う表示手段を有することを特徴とする。
【００２７】
これにより、当該無線通信機器が無線タグ回路素子に係わる電子ファイルの処理対象機器として適当ではない旨を確実に操作者に報知することができる。）
【００２８】
第１１発明は、上記第８乃至第１０発明のいずれか１つにおいて、当該無線通信機器による前記処理動作に係わる性能情報を生成し、前記機器側アンテナを介して前記無線タグ回路素子へ送信する性能情報送信手段を有することを特徴とする。
【００２９】
これにより、無線タグ回路素子側で無線通信機器の処理性能を認識できるので、例えば当該処理性能に応じてファイル情報の返信を行うか行わないかを切替制御することが可能となる。この結果、無線タグ回路素子に係わる電子ファイルと、この電子ファイルの処理対象として適当な機器との組み合わせを最適化することができる。
【００３０】
第１２発明は、上記第８乃至第１１発明のいずれか１つにおいて、前記ファイル情報取得手段で取得した前記ファイル情報を表示手段に表示させるための操作用図像を当該表示手段上に表示させる図像表示信号を生成する図像表示信号生成手段を有することを特徴とする。
【００３１】
これにより、機器の操作者が表示手段上の操作用図像を操作するだけでファイル又はこれに関する情報が表示手段に表示されるので、操作者の利便性をさらに向上することができる。
【００３２】
上記目的を達成するために、本願第１３発明の無線情報システムにおいては、情報を記憶可能なＩＣ回路部とこのＩＣ回路部に接続されるタグ側アンテナとを備えた無線タグ回路素子を有し、前記ＩＣ回路部が、少なくとも、処理対象となる電子ファイルに関するファイル情報と、前記電子ファイルに対し前記処理動作を実行可能な機器に関する機器情報とを記憶保持している無線タグと、この無線タグの前記無線タグ回路素子との間で無線通信により情報の送受信を行う機器側アンテナと、前記ＩＣ回路部へのアクセス情報を生成し、前記機器側アンテナを介して前記無線タグ回路素子へ送信し、前記ＩＣ回路部からの情報読み取りを行う機器側情報アクセス手段と、この機器側情報アクセス手段による前記アクセス情報に応じて前記無線タグ回路素子よりそれぞれ返信された返信信号を、前記機器側アンテナで受信する返信信号受信手段と、この返信信号受信手段で受信された前記返信信号より、前記機器情報を取得する機器情報取得手段と、この機器情報取得手段で取得した前記機器情報に基づき、前記ファイル情報を取得するファイル情報取得手段とを有する無線通信機器とを備えたことを特徴とする。
【００３３】
本願第１３発明においては、無線タグに備えられた無線タグ回路素子のＩＣ回路部がファイル情報、機器情報を記憶保持しており、この無線タグ回路素子に対し、無線通信機器に備えられた機器側情報アクセス手段より機器側アンテナを介してアクセス情報を送信してＩＣ回路部から情報読み取りを行う。そして無線タグ回路素子からの返信信号が返信信号受信手段で受信され、その返信信号から機器情報取得手段によって機器情報が取得され、さらにその機器情報に基づきファイル情報取得手段によってファイル情報が取得される。このようにして、処理対象となる無線タグ回路素子を備えた無線タグを例えば無線通信機器近傍（通信可能範囲）に位置させるだけで、機器側で自動的にファイル情報が取得される。したがって、この取得したファイル情報に基づき対応する電子ファイルに対しさらに当該機器が所定の処理動作を自動的に実行するようにすれば、当該電子ファイルを処理後の形態（印刷物等）で持ち歩く必要がなくなるとともに、電子ファイルを機器にインストール後に機器内において当該インストールした電子ファイルをいちいち指定して対応する処理動作（印刷、投影、編集又はその準備のための一覧表示等）を行わせる手間がなくなる。この結果、操作者の利便性を大きく向上することができる。
【００３４】
上記目的を達成するために、本願第１４発明の無線タグ作成装置においては、情報を記憶するＩＣ回路部を備えた無線タグ回路素子との間で無線通信により情報の送受信を行う装置側アンテナと、処理対象となる電子ファイルに関するファイル情報を生成するファイル情報生成手段と、前記電子ファイルに対し前記処理動作を実行可能な機器に関する機器情報を生成する機器情報生成手段と、前記ＩＣ回路部へのアクセス情報を生成するアクセス情報生成手段と、前記ファイル情報、前記機器情報、及び前記アクセス情報を前記装置側アンテナを介して前記無線タグ回路素子へ送信し、前記ＩＣ回路部への情報書き込みを行う装置側情報アクセス手段とを有することを特徴とする。
【００３５】
本願第１４発明の無線タグ作成装置においては、ファイル情報生成手段が処理（投影、印刷、編集等）対象となる電子ファイルに関するファイル情報を生成し、機器情報生成手段が電子ファイルに対し処理動作を実行可能な機器に関する機器情報を生成し、アクセス情報生成手段がＩＣ回路部へのアクセス情報を生成する。そして、これらファイル情報、機器情報、アクセス情報が装置側情報アクセス手段により装置側アンテナを介し無線タグ回路素子へ送信され、ＩＣ回路部へ書き込まれて、無線タグが完成する。
【００３６】
このようにして作成された無線タグによれば、無線タグ回路素子に対し例えば無線通信機器側よりアクセスしてＩＣ回路部から情報読み取りを行うことで、機器側において自動的に機器情報やファイル情報を取得することが可能となる。したがって、その取得したファイル情報に基づき当該無線通信機器が対応する電子ファイルに対しさらに所定の処理動作を自動的に実行するようにすることで、当該電子ファイルを処理後の形態（印刷物等）で持ち歩く必要がなくなるとともに、電子ファイルを無線タグから無線通信機器側にインストール後に機器内において当該インストールした電子ファイルをいちいち指定して対応する処理動作（印刷、投影、編集又はその準備のための一覧表示等）を行わせる手間がなくなる。この結果、操作者の利便性を大きく向上することができる。
【００３７】
第１５発明は、上記第１４発明において、前記ファイル情報生成手段は、前記ファイル情報として、処理対象となる電子ファイルが格納されたファイル（格納サーバ内）へのリンク情報ファイルをアドレス管理サーバに作成するための信号と、そのアドレス管理サーバにおける前記リンク情報ファイルへアクセスするためのファイルアクセス情報（リンク情報ファイルアクセス情報）を生成し、前記装置側情報アクセス手段は、前記ファイルアクセス情報、前記機器情報、及び前記アクセス情報を前記装置側アンテナを介して前記無線タグ回路素子へ送信し、前記ＩＣ回路部への情報書き込みを行うことを特徴とする。
【００３８】
本願第１５発明においては、タグ作成時において、ファイル情報生成手段からの信号に基づきアドレス管理サーバにファイル格納サーバへのリンク情報ファイル（ショートカット用ファイル）が作成されるとともに、そのリンク情報ファイルへアクセスするためのリンク情報ファイルアクセス情報（ショートカット用ファイルアクセス情報）がＩＣ回路部へ書き込まれる。このようにして作成された無線タグによれば、無線通信機器側より情報読み取りを行ってリンク情報ファイルアクセス情報を取得してアドレス管理サーバのリンク情報ファイルにアクセスし、そしてファイル格納サーバの当該リンク情報ファイルに記載されたアドレスにアクセスすることで、処理（投影、印刷、編集等）対象となる電子ファイルを取得する。
【００３９】
ここで、電子ファイルが移動された場合、一般に電子ファイルに備えられているアドレス識別子がその移動によって（自動的に）更新されるので、これに伴ってアドレス管理サーバにおけるリンク情報ファイルに記載されたアドレスが（自動的に）更新されることとなる。したがって、上記のような無線タグ→アドレス管理サーバのリンク情報ファイル（ショートカット用ファイル）→ファイル格納サーバという流れとすることで、上記のように電子ファイルが移動したとしても、無線タグを用いた電子ファイルへのアクセスが確実に維持される。
【発明の効果】
【００４０】
本発明によれば、操作者の面倒な操作を必要とすることなく、無線タグから取得した電子ファイルに対し各種処理機能を実行でき、操作者の利便性を向上することができる。
【発明を実施するための最良の形態】
【００４１】
以下、本発明の一実施の形態を図面を参照しつつ説明する。
【００４２】
図１は、本実施形態の無線タグの全体概略構造を表す上面図である。図１において、この無線タグ（タグカード）１は、略四角薄板形状の基材２（カード基材）と、この基材２に配置された、情報を記憶するＩＣ回路部１５０とこのＩＣ回路部１５０に接続されるアンテナ１５１とを備えた無線タグ回路素子Ｔoとから構成されている。
【００４３】
基材２の表側（上面）には、このタグカード１によって所定の処理を行える（詳細は後述）電子ファイルの内容を表記（印字または手書き筆記）した領域Ｓ（表記領域、この例では「２００４年度出願一覧表」の文字）を備えている。なお、文字でなく図形や符号、あるいは単なる色塗りや模様等であってもよく、何らかの形で電子ファイル内容を認識・識別できるものであればよい。またタグカード１の大きさは、例えば名刺大等各種サイズのものとして構成できる。通常のＡ４版又はＢ５版等の紙（印刷してもしなくてもよい）に、無線タグ回路素子Ｔoを取り付けた（例えばラベル状のものを貼付した）ものとしてもよい。
【００４４】
無線タグ回路素子Ｔoは、この例では、基材２の面方向中心部（この例では図１の上下方向中心部）より一方側（この例では図１中下方側）に偏って配置されている。言い換えれば、領域Ｓと無線タグ回路素子Ｔoとが平面視においてなるべく重ならないように、配置されている。
【００４５】
図２は、上記タグカード１に備えられた上記無線タグ回路素子Ｔoの機能的構成の一例を表すブロック図である。
【００４６】
図２において、無線タグ回路素子Ｔoは、後述するプロジェクタ１００のスキャナ部２００側のアンテナ２１０と短波帯(例えば13.56MHz)、ＵＨＦ帯、マイクロ波帯等の高周波を用いて非接触で信号の送受信を行うアンテナ１５１(タグ側アンテナ)と、このアンテナ１５１に接続されたＩＣ回路部１５０とを有している。
【００４７】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００４８】
変復調部１５６は、アンテナ１５１により受信された上記スキャナ部２００（質問器）のアンテナ２１０からの通信信号の復調を行うと共に、上記制御部１５７からの返信信号に基づき、上記アンテナ２１０より受信された搬送波を変調反射する。
【００４９】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００５０】
上記構成のタグカード１では、無線タグ回路素子ＴoのＩＣ回路部１５０が、処理対象となる電子ファイルに関するファイル情報（この例では前述した「２００４年度出願一覧表」のファイルのアドレス情報。詳細は後述）と、この電子ファイルに対し所定の上記処理動作を実行可能な無線通信機器に関する機器情報（この例では投影を行うプロジェクタ１００のＩＤ。その他印刷を行うプリンタやデータ編集のために一覧表示するパソコンやファックス等でもよい。詳細は後述）とを記憶保持している。そしてタグカード１を、無線タグ回路素子Ｔoの読み取り機能を備えた無線通信機器側に近接させ（通信可能範囲に存在させ）、上記ファイル情報及び機器情報が無線通信機器側に取得されることで、当該電子ファイルが情報サーバより無線通信機器へ読み込まれるとともに、その電子ファイルに対して上記所定の処理動作が実行される。
【００５１】
図３は、上記サーバや無線通信機器としてのプロジェクタ１００を含む無線通信システム全体を表すシステム構成図である。
【００５２】
図３に示す無線タグ情報通信システムは、上記タグカード１に備えられた無線タグ回路素子Ｔoの情報にアクセスする（この例では読み取りを行う）機能を備えるとともに、通常の投影機能を備えた無線通信機器としての上記プロジェクタ１００を備えている。また他の無線通信機器として、この例では、上記プロジェクタ１００と同様の無線タグアクセス機能をそれぞれ併せて備えたプリンタ１１０及びパソコン１２０を備えている。これらプロジェクタ１００、プリンタ１１０、及びパソコン１２０は、有線あるいは無線による通信回線３を介し、複数の各種電子ファイルを読み出し可能に格納保持する情報サーバ（コンテンツサーバ）７や、端末（又は汎用コンピュータ）５に接続されている。なお、後述のようにルートサーバ（アドレスサーバ）４を設けても良い。またこの例では上記タグカード１を作成するタグカード製造装置３００も通信回線３に接続されている（詳細は後述）。
【００５３】
図４は、上記プロジェクタ１００の詳細機能を表す機能ブロック図である。この図４において、プロジェクタ１００は、被投影対象（例えばスクリーン等）に投影物（この例では電子ファイル等）の投影を行う投影駆動部１０１と、操作者が各種操作可能な操作部１０２と、上記通信回線３との通信データ・各種信号の送受の制御を行う通信制御部１０３と、前述した読み取り機能を果たすスキャナ部２００と、それら投影駆動部１０１、操作部１０２、通信制御部１０３、及びスキャナ部２００に接続されプロジェクタ１００全体の動作制御を行う投影制御部１０４とを有する。
【００５４】
投影制御部１０４は、例えば、図示しないＣＰＵ、ＲＡＭ、ＲＯＭ等を備えており、操作部１０２、通信制御部１０３、スキャナ部２００からの信号を入力して所定の演算処理を行い、投影駆動部１０１への投影制御信号等を出力する。
【００５５】
スキャナ部２００は、無線タグ回路素子Ｔoの上記アンテナ１５１との間で無線通信により信号の授受を行うアンテナ（機器側アンテナ）２１０と、このアンテナ２１０を介し上記無線タグ回路素子ＴoのＩＣ回路部１５０へアクセスする（この例では読み取りを行う）とともに、無線タグ回路素子Ｔoから読み出された信号を処理する高周波回路２０１と、高周波回路２０１を介し無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、スキャナ部２００全体の動作を制御する制御回路２０２とを有する。
【００５６】
図５は、上記高周波回路２０１の詳細機能構成を表す機能ブロック図である。
【００５７】
図５において、高周波回路２０１は、アンテナ２１０を介し無線タグ回路素子Ｔoに対して信号を送信する送信部２１２と、アンテナ２１０により受信された無線タグ回路素子Ｔoからの反射波を入力する受信部２１３と、送受分離器２１４とから構成される。
【００５８】
送信部２１２は、無線タグ回路素子ＴoのＩＣ回路部１５０の無線タグ情報（この例では電子ファイルのアドレス情報、詳細は後述）にアクセスする(読み取り／書き込みを行う)ための搬送波を発生させる搬送波発生部として機能する発振回路２１５と、上記制御回路２０２から供給される信号に基づいて上記搬送波発生部により発生させられた搬送波を変調（この例では制御回路２０２からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例では制御回路２０２からの「ＴＸ＿ＰＷＲ」信号によって増幅率を決定される増幅）する可変送信アンプ２１７とを備えている。そして、上記搬送波発生部により発生される搬送波は、例えば短波帯(13.56MHz等)、ＵＨＦ帯、マイクロ波帯等の高周波を用いており、上記送信アンプ２１７の出力は、送受分離器２１４を介しアンテナ２１０に伝達されて無線タグ回路素子ＴoのＩＣ回路部１５０に供給される。なお、送受される無線タグ情報は上記のように変調した信号に限られず、単なる搬送波のみの場合もある。
【００５９】
受信部２１３は、アンテナ２１０で受信された無線タグ回路素子Ｔoからの反射波と上記発生させられた搬送波とを掛け合わせる受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ２１０で受信された無線タグ回路素子Ｔoからの反射波と上記発生された後に移相器２２７により位相が９０°遅れた搬送波とを掛け合わせる受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記制御回路２０２に入力されて処理される。
【００６０】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」が制御回路２０２に入力されるようになっている。このように、スキャナ部２００では、この例ではＩ−Ｑ直交復調によって無線タグ回路素子Ｔoからの反射波の復調が行われる。
【００６１】
制御回路２０２は、上記高周波回路送信部２１２への増幅制御信号及び変調制御信号を出力するとともに、上記高周波回路受信部２１３からの受信信号を入力した後無線タグ回路素子Ｔoから読み出された信号を処理するための所定の演算処理を行う。
【００６２】
図６は、この制御回路２０２の詳細機能を表す機能ブロック図である。
【００６３】
図６において、制御回路２０２は、いわゆるマイクロコンピュータであり、中央演算処理装置であるＣＰＵ２０２Ａ、ＲＯＭ２０２Ｂ、ＲＡＭ２０２Ｃ、高周波回路２０１との信号送受を行う回路制御部２０２Ｄ、上記投影制御部１０４との信号送受を行う入出力制御部２０２Ｅ等から構成され、ＲＡＭ２０２Ｃの一時記憶機能を利用しつつＲＯＭ２０２Ｂに予め記憶されたプログラムに従って信号処理を行うようになっている。この制御回路２０２は、上記投影制御部１０４及び通信回線３を介し、上記情報サーバ７、端末５等との間で情報のやりとりが可能となっている。
【００６４】
図７は、上記プロジェクタ１００に備えられた投影制御部１０４及び制御回路２０２の実行する制御手順を表すフローチャートである。
【００６５】
まずステップＳ５０５において、高周波回路２０１及びアンテナ２１０を介し、タグカード１の無線タグ回路素子ＴoのＩＣ回路部１５０に記憶された情報を読み取るための信号を送信する。詳細には、例えば、無線タグ回路素子Ｔoに記憶された情報を読み出すための「Scroll ALL ID」信号（又は「Ping」信号）を生成して高周波回路２０１を介して通信範囲内に存在する無線タグ回路素子Ｔoに送信され、返信を促す。なおこのとき、無線タグ回路素子Ｔo側での無線通信機器認識のために、当該プロジェクタ１００固有の識別情報（機器ＩＤ）も併せて無線タグ回路素子Ｔoに送信する（後述の図８のステップＳ６１０参照）。なおこの機器ＩＤとしては機器種別ごとに付与されたＩＤでもよいし、さらに機器個体ごとに付与されたＩＤであってもよい。
【００６６】
その後、ステップＳ５１０に移り、上記「Scroll ALL ID」信号に対応し無線タグ回路素子Ｔoから送信（返信）されたリプライ信号がアンテナ２１０を介し受信され、高周波回路２０１を介し制御回路２０２へ取り込まれたかどうかを判定する。
【００６７】
リプライ信号が受信されていなければ判定が満たされず、ステップＳ５０５に戻って同様の手順を繰り返す。リプライ信号が受信されたらステップＳ５１０の判定が満たされ、ステップＳ５１５へ移る。
【００６８】
ステップＳ５１５では、上記無線タグ回路素子Ｔoから受信されたリプライ信号の中から、対応する（タグカード１と関連づけられる）アドレス情報（例えば電子ファイルが情報サーバ７において格納された格納先アドレス。後述の図９も参照）と、当該電子ファイルに対し所定の処理動作を実行することを許可される機器情報（例えば無線通信機器の種類を特定するＩＤや、さらに個体を特定するＩＤ等。後述の図９も参照）とを読み出して取得する。
【００６９】
次に、ステップＳ５２０において、ステップＳ５１５で取得した機器情報が当該プロジェクタ１００に合致したものとなっているかどうかを判定する。合致していない場合には判定が満たされず、ステップＳ５２５に移って、当該プロジェクタ１００が無線タグ回路素子Ｔoの要求する無線通信機器として対応していない旨の表示制御信号を例えば図示しないプロジェクタ１００の表示手段に出力し対応する表示を行わせる（あるいは通信回線３を介し端末５等に表示させてもよい）。これにより、プロジェクタ１００が当該電子ファイルの処理対象機器として適当ではない旨を確実に操作者に報知することができる。
【００７０】
機器情報が当該プロジェクタ１００に合致したものとなっている場合には、ステップＳ５２０の判定が満たされ、ステップＳ５３０に移る。ステップＳ５３０では、ステップＳ５１５で取得した電子ファイルのアドレス情報を元に、通信回線３を介し情報サーバ７へ問い合わせ信号を出力する。
【００７１】
その後、ステップＳ５３５において、上記ステップＳ５３０の問い合わせ信号に応じて情報サーバ７から返信された処理物（この例ではプロジェクタ１００による投影物）である電子ファイルのデータと、その電子ファイルに対応した所定のアプリケーション（例えば日本語ソフト、描画ソフト等）を取得する。
【００７２】
そして、ステップＳ５４０において、上記ステップＳ５３５で取得したアプリケーションを起動した後、ステップＳ５４５において、その起動したアプリケーション上でステップＳ５３５で取得した電子ファイルを開く。
【００７３】
その後、ステップＳ５５０において、ステップＳ５４５で生成した電子ファイルに対し、当該無線通信機器に固有の所定の処理（この例ではプロジェクタ１００の投影駆動部１０１による投影）を行い、このフローを終了する。
【００７４】
図８は、上記タグカード１に備えられた無線タグ回路素子ＴoのＩＣ回路部１５０に配置された、制御部１５７の実行する制御手順を表すフローチャートである。
【００７５】
まずステップＳ６０５において、スキャナ部２００のアンテナ２１０から送信された信号がアンテナ１５１により受信されたかどうかを判定する。受信されていれば判定が満たされ、ステップＳ６１０に移る。
【００７６】
ステップＳ６１０では、ステップＳ６０５にて受信が確認された信号に含まれる無線通信機器（この例ではプロジェクタ１００）側の識別情報（機器ＩＤ）を取得する。このとき、メモリ部１５５には、予め、この無線タグ回路素子Ｔoにアドレス情報を記憶した上記電子ファイルの処理動作を行うのに適正である機器のリスト（返信すべき機器をリストアップした返信リスト）が例えば機器ＩＤ形式で記憶されており、次のステップＳ６１５では、上記ステップＳ６１０で取得した機器ＩＤを元に、当該無線通信機器が上記返信リストに合致するかどうかを判定する。リストに合致しなかった場合は判定が満たされず、ステップＳ６０５に戻って同様の手順を繰り返す。
【００７７】
リストに合致した場合はステップＳ６１５の判定が満たされ、ステップＳ６２０に移る。ステップＳ６２０では、上記受信された信号が無線通信機器からの無線タグ回路素子ＴoのＩＣ回路部１５０の記憶内容の読み取りを求める読み取り信号（前述の「Scroll
ALL ID」信号又は「Ping」信号等）であるかどうかを判定する。上記読み取り信号でない他の信号であった場合には判定が満たされず、ステップＳ６０５に戻って同様の手順を繰り返す。
【００７８】
読み取り信号であった場合にはステップＳ６２０の判定が満たされ、ステップＳ６２５において、ＩＣ回路部１５０の記憶していた、前述した電子ファイルのアドレス情報及び機器情報を変復調部１５６によりアンテナ１５１を介してスキャナ部２００のアンテナ２１０に送信し、このフローを終了する。
【００７９】
図９（ａ）〜図９（ｅ）は、無線タグ回路素子ＴoのＩＣ回路部１５０に記憶され、また上記ステップＳ６２５において送信される情報（データ）のデータ構成の一例を表す図である。
【００８０】
図９（ａ）に示す例では、無線タグ回路素子ＴoのＩＣ回路部１５０に記憶されるデータは、前述したタグ識別子情報（タグＩＤ）と、処理対象となる電子ファイルに関するファイル情報（この例では電子ファイルの情報サーバ７におけるアドレス情報）と、この電子ファイルに対し所定の上記処理動作を実行可能な無線通信機器に関する機器情報（前述の例では投影を行うプロジェクタ１００の機器種別ＩＤ）とから構成されている。
【００８１】
なお、図９（ｂ）に示すように、上記機器情報として、機器種別ＩＤのみならずさらに各機器個体ごとに備えられる機器個体ＩＤを含むようにしても良い。更に、図９（ｃ）に示すように、上記機器種別ＩＤや機器個体ＩＤ等の機器情報に加え、その機器の備える動作機能のうち電子ファイルに対して許容される動作に関する動作情報を含むようにしてもよい。これらの場合、機器情報によって処理対象として許容される無線通信機器を特定するのみならず、さらにその特定された無線通信機器において電子ファイルの処理動作として許容される動作を限定して指定し、それ以外の動作は禁止することができる。具体的には、無線通信機器がコピー、ファックス、プリンタの複合機であるときに当該電子ファイルについては印刷機能のみ又はコピーのみを許容する場合等や、無線通信機器がパソコンであるときに当該電子ファイルの一覧のみを許容し編集までは許容しない場合等が考えられる。
【００８２】
一方、図９（ｄ）に示す例は、上記図９（ａ）に示した例において、電子ファイルに対し所定の処理動作を実行可能な無線通信機器として、複数の機器種別ＩＤが含まれている（複数の機器に対して処理を許容している）場合を示している。これにより、複数種類又は複数個の機器を電子ファイルの処理対象機器として認容することができる。
【００８３】
また図９（ｅ）に示す例は、上記図９（ａ）に示した例において、処理対象となる電子ファイルとして複数のファイルのアドレス情報が含まれている（複数の電子ファイルを１つの機器で一括して処理を行う）場合を示している。これにより、複数の電子ファイルを、対応する所定の無線通信機器において一括して処理することができる。
【００８４】
図１０は、上記したＩＣ回路部１５０内に記憶されたデータ構造のさらに具体的な一例を表す図である。図１０において、この例では、上記図９（ｃ）に示した例にほぼ相当するデータ構造を表している。まずデータの最初には、８ビットで表されたタグＩＤ（この例では「１２」）が記憶されている。
【００８５】
その次には、機器情報（機器種別ＩＤ）＋動作情報に相当するものが記憶されている。この例では、この動作情報込みの機器種別ＩＤとして、予め図示のように８ビットの対応テーブルが用意されており（但し末尾２ビットは未使用）、最初の１ビットから順に、プロジェクタによる投影動作の可否を表すビット（ｂ７）、プリンタによる全動作（印刷及びコピー等）の可否を表すビット（ｂ６）、プリンタによる印刷動作のみ（コピーを除く）の可否を表すビット（ｂ５）、ファックスによる送信動作の可否を表すビット（ｂ４）、パソコンによる全動作（一覧表示及び編集等）の可否を表すビット（ｂ３）、パソコンによる一覧表示のみ（編集を除く）の可否を表すビット（ｂ２）、未使用ビット２つ（ｂ１，ｂ０）がそれぞれ割り振られている。そして、「１」である当該ビットの機器及び動作がデータ上許容されるようになっており、この例ではｂ７ビットとｂ５ビットが「１」すなわちこのタグカード１に係わる電子ファイルに対しては、プロジェクタによる投影とプリンターによる印刷が実行可能な処理及び機器として指定され、上記「１０１０００００」という並びに対応した「ＣＯ」（１６進法表記）がデータとして含まれている。
【００８６】
その後は、電子ファイルのアドレス情報（この例ではファイル名を含む）が記憶されている。最初はＩＰアドレスが記録され、この例では、「１０．１２３．１５６．３９」（１０進法）というアドレスを１６進法で表した、「ＯＡ  ７Ｂ  ９Ｃ  ２７」が含まれている。その後は、ファイル名が記録されており、この例では、「ｐａｔｅｎｔ．ｄａｔ」という名称を１６進法表記とした、「７０  ６１  ７４  ６５  ６Ｅ  ７４  ２Ｅ  ６４  ６１  ７４」が含まれている。
【００８７】
そしてその次には、ファイルのアドレス情報が終了した終端であることを表す「ＯＤ」が記録され、残りには「０００…００」が記録されている。
【００８８】
上記のように構成され使用されるタグカード１であるが、このタグカード１を製造する無線タグ製造装置３００としては、例えば図１１に示す装置が用いられる。
【００８９】
図１１において、このタグカード製造装置３００（無線タグ作成装置）は、所定間隔で無線タグ回路素子Ｔoが備えられたタグテープ３０３を巻回したタグテープロール３０４と、このタグテープロール３０４から繰り出されたタグテープ３０３のうち各無線タグ回路素子Ｔoに対応した上記領域Ｓに所定の印字を行う印字ヘッド３０５と、無線タグ回路素子Ｔoとの間で無線通信により情報の送受信を行うアンテナ３０６（装置側アンテナ）と、高周波回路３０１及び制御回路３０２と、タグテープ３０３への印字及び無線タグ回路素子Ｔoへの上記情報書き込みが終了したタグテープ３０３を所定の長さに切断して上記タグカード１とするカッタ３０７とを有する。
【００９０】
高周波回路３０１及び制御回路３０２は、詳細な説明を省略するが、上記スキャナ部２００の高周波回路２０１及び制御回路２０２と同等の機能を備えるものであり、無線タグ回路素子ＴoのＩＣ回路部１５０へのアクセス情報を生成し、装置側アンテナ３０６を介して無線タグ回路素子Ｔoへ送信し、無線タグ回路素子ＴoのＩＣ回路部１５０へ情報書き込みを行う。また制御回路３０２は前述の通信回線３に接続され、情報の送受が可能となっている。
【００９１】
図１２は、上記制御回路３０２によって実行される制御手順を表すフローチャートである。図１２において、まずステップＳ７０５で、通信回線３を介し情報サーバ７に予め格納されている電子ファイルの検索を行ってその情報（アドレス情報を含む）を取得する。その後、当該情報サーバ７に格納されている電子ファイルのうちタグカード１に関連づけるファイルの指定画面を表示させる信号を、例えば通信回線３を介し端末５に出力し、端末５の表示手段に表示させる（後述の図１３参照。又はタグカード製造装置３００に設けた適宜の表示手段に表示させても良い。以下同様）。
【００９２】
上記表示に応じて端末５を介し（又はタグカード整合装置３００に設けた適宜の操作手段を介し、以下同様）操作者により電子ファイルの指定入力があったら、次のステップＳ７１０の判定が満たされ、ステップＳ７１５に移る。なお、前述のように情報サーバ７に予め格納されている電子ファイルのみならず、未格納の電子ファイルについて新たに登録したい場合は上記ステップＳ７０５においてそのファイル情報を表示させ、上記ステップＳ７１０にてファイルが指定されたらその電子ファイルを新規に情報サーバ７に格納するようにしてもよい（このときのアドレス情報を取得しておく）。
【００９３】
ステップＳ７１５では、上記ステップＳ７０５でタグカード１に関連づけた電子ファイルに対し所定の処理動作を行わせる無線通信機器（例えば前述したプロジェクタ、プリンタ、コピー機、ファックス機、複合機、パソコン等）を指定するための画面を表示させる信号を端末５に出力し、表示させる（後述の図１４（ａ）参照）。
【００９４】
上記表示に応じて端末５を介し操作者により無線通信機器の指定入力があったら、次のステップＳ７２０の判定が満たされ、ステップＳ７２５に移る。
【００９５】
ステップＳ７２５では、タグカード１に対し印字ヘッド３０５によって印字したい印字内容を入力するための画面を表示させる信号を端末５に出力し、表示させる（後述の図１４（ｂ）参照）。
【００９６】
上記表示に応じて端末５を介し操作者により印字内容の入力があったら、次のステップＳ７３０の判定が満たされ、ステップＳ７３５に移る。
【００９７】
ステップＳ７３５ではタグ作成処理を行う。すなわち、高周波回路３０１を介し無線タグ回路素子ＴoのＩＣ回路部１５０へのアクセス情報を生成し、装置側アンテナ３０６を介して無線タグ回路素子Ｔoへ送信し、ＩＣ回路部１５０に対し、情報書き込みを行う。このとき、タグＩＤについては公知の適宜の手法で新たなＩＤを作成して書き込みを行い、また図１２のステップＳ７０５及びステップＳ７１０で指定した電子ファイルの情報サーバ７における格納アドレスや、図１２のステップＳ７１５及びステップＳ７２０で指定した無線通信機器の機器ＩＤ等についても併せて書き込まれる。この結果、図９（ａ）〜（ｅ）や図１０に例示したようなデータ構造の情報がＩＣ回路部１５０のメモリ部１５５に記憶保持される。またこのとき、印字ヘッド３０５を駆動する駆動回路（図示せず）に制御信号を出力して、対応する印字を行う。
【００９８】
なお、以上は、無線通信機器の例として主にプロジェクタ１００の機能について詳細に説明したが、プリンタ１１０やパソコン１２０にもプロジェクタ１００と同様のスキャナ部２００が配置されている。そして、プロジェクタ１００と同様、ＩＣ回路部１５０に電子ファイルのファイル情報（アドレス情報）及び機器情報（機器ＩＤ）を備えたタグカード１に対し、それらプリンタ１１０やパソコン１２０のスキャナ部２００が読み取りを行って当該アドレス情報を元に情報サーバ７から電子ファイルデータを取得した後、その電子ファイルに対し所定の処理（プリンタ１１０による印刷やパソコン１２０におけるフォルダ・ファイルの一覧階層表示や編集等）を行えるようになっている。
【００９９】
図１３（ａ）〜（ｃ）は、前述の図１２のステップＳ７０５において、端末５（又はタグカード製造装置３００の表示手段。以下同様）に表示される表示画面の一例を表す図である。図１３の例では、「ＡＢＣ．ＤＥＦ」「１２３．４５６」「ＧＨＩ．ＪＫＬ」「７８９．０１２」を含む複数のファイル（図１３（ａ）参照）の中からファイル「ＡＢＣ．ＤＥＦ」を選択し（図１３（ｂ）参照）、「ＯＫ」ボタンを操作して確定する様子を示している（図１３（ｃ））
【０１００】
図１４（ａ）は、前述の図１２のステップＳ７１５において、端末５（又はタグカード製造装置３００の表示手段。以下同様）に表示される表示画面の一例を表す図である。図１４（ａ）の例では、「プロジェクター」「プリンター」「プリンター（コピー禁止）」「ＦＡＸ」「パソコン（編集不可）」「パソコン（編集可）」を含む複数の（動作情報付き）無線通信機器の一覧情報（図１４（ａ）参照）の中から「プロジェクター」「プリンター（コピー禁止）」を選択した（チェックボックスにチェックを入れた）様子を示している。
【０１０１】
図１４（ｂ）は、前述の図１２のステップＳ７２５において、端末５（又はタグカード製造装置３００の表示手段。以下同様）に表示される表示画面の一例を表す図である。図１４（ｂ）の例では、「２００４年度出願一覧表」の文字を印字内容として入力した様子を示している。
【０１０２】
上記において、無線タグ回路素子Ｔoの制御部１５７が実行する図８に示したフローのステップＳ６１５が、各請求項記載の、処理動作を実行する機器から発信されタグ側アンテナで受信されたＩＣ回路部へのアクセス情報に含まれる所定の識別情報に応じて、ファイル情報の返信を行うか行わないかを切替制御する返信制御手段を構成する。
【０１０３】
また、プロジェクタ１００のスキャナ部２００に備えられた高周波回路２０１の送信部２１２及び制御回路２０２の実行する図７のフローのステップＳ５０５が、ＩＣ回路部へのアクセス情報を生成し、機器側アンテナを介して無線タグ回路素子へ送信し、ＩＣ回路部からの情報読み取りを行う機器側情報アクセス手段を構成し、高周波回路２０１の受信部２１３及び制御回路２０２の実行する図７のフローのステップＳ５１０が、機器側情報アクセス手段によるアクセス情報に応じて無線タグ回路素子よりそれぞれ返信された返信信号を、機器側アンテナで受信する返信信号受信手段を構成する。また、図７のフローのステップＳ５１５が、返信信号受信手段で受信された返信信号より、機器情報を取得する機器情報取得手段を構成するとともに、この機器情報取得手段で取得した機器情報に基づき、ファイル情報を取得するファイル情報取得手段をも構成する。
【０１０４】
また、図７のステップＳ５５０が、ファイル情報取得手段で取得したファイル情報に対応した電子ファイルに対し、対応する処理動作を実行するように動作制御を行う処理動作制御手段を構成する。
【０１０５】
また、タグカード製造装置３００の高周波回路３０１及び制御回路３０２が、処理対象となる電子ファイルに関するファイル情報を生成するファイル情報生成手段、電子ファイルに対し処理動作を実行可能な機器に関する機器情報を生成する機器情報生成手段、ＩＣ回路部へのアクセス情報（Program ID等のタグ識別情報を含む）を生成するアクセス情報生成手段、及び、ファイル情報、機器情報、アクセス情報を装置側アンテナを介して無線タグ回路素子へ送信し、ＩＣ回路部への情報書き込みを行う装置側情報アクセス手段を構成する。
【０１０６】
以上のように構成した本実施形態のタグカード１においては、無線タグ回路素子ＴoのＩＣ回路部１５０が、電子ファイルに関するファイル情報（アドレス情報等）及び機器情報（機器ＩＤ等）を記憶保持している。これにより、この無線タグ回路素子Ｔoに対しプロジェクタ１００等の無線通信機器側よりアクセスしてＩＣ回路部１５０から情報読み取りを行う。そして、機器側において上記機器情報やファイル情報を取得し、その取得したファイル情報に基づき情報サーバ７へアクセスして電子ファイルを得るとともに当該無線通信機器がその得られた電子ファイルに対しさらに所定の処理動作（投影、印字、一覧表示等）を自動的に実行する。これにより、例えば当該電子ファイルを処理後の形態（印刷物等）で持ち歩く必要がなくなるとともに、従来のように、電子ファイルを無線タグから無線通信機器側にインストール後に機器内において当該インストールした電子ファイルをいちいち指定して対応する処理動作を行わせる手間がなくなる。この結果、操作者の利便性を大きく向上することができる。
【０１０７】
また、この実施形態では特に、無線タグ回路素子ＴoのＩＣ回路部１５０が、無線タグ回路素子を識別するための識別子情報（タグＩＤ）を記憶保持していることにより、仮にスキャナ部２００のアンテナ２１０からの通信可能範囲に複数の無線タグ回路素子Ｔoが存在したときでも、タグＩＤを用いて対象とする無線タグ回路素子Ｔoを特定することで、混信を生じることなく効率よく目的の無線タグ回路素子Ｔoにアクセスできる。
【０１０８】
また、この実施形態では特に、無線通信機器（プロジェクタ１００等）から発信された信号に含まれる識別情報（機器ＩＤ）に応じ、無線タグ回路素子Ｔoの制御部１５７がファイル情報を含む信号の返信を行うか行わないかを切替制御する（ステップＳ６１５）。これにより、無線通信機器が機器種別ＩＤや機器個体ＩＤ等の所定の識別情報を無線タグ回路素子Ｔoへ送信したときのみファイル情報の返答を行うので、セキュリティーを向上することができる。
【０１０９】
なお、本発明は、上記実施形態に限られず、その趣旨と技術思想の範囲を逸脱しない範囲で更に種々の変形が可能である。以下その変形例を説明する。
【０１１０】
（１）無線通信機器側の性能をタグ側へ通信する場合
上記実施形態では、図８を用いて説明したように、無線通信機器側からの信号を受信した無線タグ回路素子ＴoのＩＣ回路部１５０では、その機器ＩＤがリストに合致しているかどうかを照合判定し、この照合結果のみに基づいて返信するかしないかを切り替えたが、これに限られず、さらに機器ＩＤのみならず当該機機の性能情報に基づいて判定を行っても良い。
【０１１１】
すなわち、上記の例ではプロジェクタ１００の投影制御部１０４及び制御回路２０２が当該プロジェクタの処理動作に係わる性能情報（例えば投影画面の大きさ、投影可能距離、明るさ、分解能等）を生成し、アンテナ２１０を介して無線タグ回路素子Ｔo側へ送信する（性能情報送信手段）。無線タグ回路素子ＴoのＩＣ回路部１５０では、機器ＩＤのリスト合致性に加え、上記性能情報との合致性についても判定し、これが所定の条件（電子ファイルの処理動作として要求されるスペック等。予めＩＣ回路部１５０内に記憶されている）を満たした場合にのみ、当該プロジェクタ１００のスキャナ部２００側に返信を行うようにする。
【０１１２】
本変形例によれば、無線タグ回路素子Ｔo側で無線通信機器（プロジェクタ１等）の処理性能を認識し、当該処理性能に応じて情報の返信を行うか行わないかを切替制御することができので、無線タグ回路素子Ｔoに係わる電子ファイルと、この電子ファイルの処理対象として適当な無線通信機器との組み合わせを最適化することができる。
【０１１３】
（２）表示手段にリンク情報アイコン（ショートカット用アイコン）を生成する場合
すなわち、前述の図７に示すフローのステップＳ５１５において、無線通信機器（プロジェクタ１００等）のスキャナ部２００にて無線タグ回路素子Ｔoに係わる電子ファイルのアドレス情報を取得したときに、これに応じて投影制御部１０４及び制御回路２０２（図像表示信号生成手段）が図像表示信号をプロジェクタ１００の表示手段（図示せず。又は端末５の表示手段でもよい。以下同様）に出力し、その表示手段に操作用図像（いわゆるリンク情報アイコンあるいはショートカット用アイコン）を生成表示させるようにしてもよい。操作者がプロジェクタ１００等の無線通信機器（又は端末５）の表示手段上のアイコンを操作（クリック）すると、情報サーバ７へアクセスし、対応する電子ファイル（又はこれに関する情報）が表示手段に表示されるので、操作者の利便性をさらに向上することができる。
【０１１４】
（３）ルートサーバにショートカットファイルを設ける場合
上記実施形態では、タグカード１の無線タグ回路素子ＴoのＩＣ回路部１５０が、電子ファイルのアドレス情報を直接記憶していたが、これに限られない。すなわち、図５中に２点鎖線で示したように、上記情報サーバ７内における各電子ファイルの格納アドレス（アドレス情報）を別途ルートサーバ４（アドレス管理サーバ）に格納保持するようにしてもよい。
【０１１５】
図１５は、この変形例において上記プロジェクタ１００に備えられた投影制御部１０４及び制御回路２０２の実行する制御手順を表すフローチャートであり、前述の図７に相当する図である。
【０１１６】
図１５において、図７と同様、ステップＳ５０５において高周波回路２０１及びアンテナ２１０を介し読み取り信号（リンク情報ファイルアクセス情報、詳細は後述）を出力した後、ステップＳ５１０において、無線タグ回路素子Ｔoから送信（返信）されたリプライ信号を高周波回路２０１を介し制御回路２０２へ取り込まれたかどうかを判定する。判定が満たされたら、ステップＳ５１５に代えて設けたステップＳ５１５′へ移る。
【０１１７】
詳細な図示を省略するが、この変形例では、無線タグ回路素子ＴoのＩＣ回路部１５０には、図９（ａ）〜（ｅ）に例示したデータ構造におけるファイル情報として、前述のように電子ファイルの情報サーバ７上のアドレスを直接記憶するのでなくその情報サーバ７上のアドレスが格納されている上記ルートサーバ４のアドレス（間接アドレス情報、中間アドレス情報）を記憶している。このルートサーバ４のアドレスには、電子ファイルが格納された情報サーバ７（ファイル格納サーバ、コンテンツサーバ）へのアドレス情報（リンク情報ファイル）が作成される。ステップＳ５１５′ではこれに対応して、上記無線タグ回路素子Ｔoから受信されたリプライ信号の中から、対応するルートサーバ４のリンク情報ファイルのアドレスと、上記機器情報とを読み出して取得する。
【０１１８】
その後、ステップＳ５２０に移り、前述と同様、上記ステップＳ５１５′で取得した機器情報が当該プロジェクタ１００に合致したものとなっているかどうかを判定する。合致したものとなっている場合は判定が満たされ、新たに設けたステップＳ５２７に移る。
【０１１９】
ステップＳ５２７では、ステップＳ５１５′で取得したルートサーバ４における上記リンク情報ファイルのアドレスを元に、通信回線３を介しルートサーバ４へ問い合わせ信号を出力する。
【０１２０】
その後、新たに設けたステップＳ５２８において、上記ステップＳ５２８の問い合わせ信号に応じてルートサーバ７のリンク情報ファイルから返信された電子ファイルのアドレス（電子ファイルが格納された情報サーバ７上のアドレス）を入手する。
【０１２１】
この後、ステップＳ５３０以降の手順は上記図７と同様なので説明を省略する。
【０１２２】
本変形例においては、例えばタグカード製造装置３００においてタグカード１が作成されるとき、ルートサーバ４にファイル格納サーバである情報サーバ７へのリンク情報ファイルが作成されるとともに、そのルートサーバ４のリンク情報ファイルへアクセスするための情報（ルートサーバ４上のアドレス）がＩＣ回路部１５０へ書き込まれる。このタグカード１に対し、無線通信機器（プロジェクタ１００等）側より情報読み取りを行って上記ルートサーバ４上のアドレスを取得してルートサーバ４のリンク情報ファイルにアクセスして情報サーバ７上の電子ファイルのアドレスを取得し、情報サーバ７の当該アドレスにアクセスすることで、処理（投影、印刷、編集等）対象となる電子ファイルを取得する。
【０１２３】
ここで、例えばもし仮に操作者の都合により電子ファイルが上記情報サーバ７内の別のアドレスへ移動された（あるいは情報サーバ７外の別の記憶装置内のデータベースのアドレス等でも良い）とすると、一般に電子ファイルに備えられているアドレス識別子（ＣＭＡ）がその移動によって（自動的に）更新されるので、これに伴って上記ルートサーバ４における対応するリンク情報ファイルに記載されたアドレスが（自動的に）新アドレスに更新される。この結果、上記のような無線タグ回路素子Ｔo→ルートサーバ４のリンク情報ファイル→情報サーバ７という流れ（中間にもうひとつサーバを介在させた情報取得形態）とすることで、上記のように電子ファイルが移動したとしても、無線タグ回路素子Ｔoを用いた電子ファイルへのアクセスが確実に維持される。
【０１２４】
なお、上記のようにファイル情報として電子ファイルの情報サーバ７上のアドレスを直接記憶せずその情報サーバ７上のアドレスが格納されているルートサーバ４のアドレス（間接アドレス情報、中間アドレス情報）を記憶したのと同様に、前述した機器情報（機器種別ＩＤ、機器個体ＩＤ等）や動作情報についても、別途のサーバ（中間サーバ）に格納しておき、その中間サーバにおける格納アドレスを無線タグ回路素子ＴoのＩＣ回路部１５０側で記憶するようにしても良い。
【０１２５】
（４）その他
以上においては、無線通信機器（プロジェクタ１００等）の機器ＩＤ又は備えている性能等が無線タグ回路素子Ｔoに係わる電子ファイルに対応していなかった場合、無線タグ回路素子Ｔo側は機器側からの問い合わせ信号を無視する形で特に返信を行わなかった（図８のステップＳ６１５等参照）が、これに限られず、このような場合に、問い合わせに応じることはできない旨の返信（読み出し不可返答信号）を行うようにしても良い。
【０１２６】
また、以上は、無線タグ回路素子Ｔoが、ファイル情報と機器情報に加え、識別子情報（タグＩＤ）も記憶保持している場合を例にとって説明したが、例えば近距離通信において事実上１つのタグしか読めない状況で用いる場合等、複数の無線タグ回路素子Ｔoによる混信が生じない（あるいは考慮する必要のない）場合では必ずしも識別子情報を記憶する必要はない。この場合も、操作者の書類持ち歩きや、電子ファイルインストール後の動作指示等の手間をなくし利便性を大きく向上するという本発明本来の効果を得ることができる。
【０１２７】
さらに、上述した実施形態、（１）〜（４）の変形例における手法を適宜組み合わせてもよい。これらの場合も、それら組み合わせた実施形態又は変形例の効果を併せた効果を得ることができ、上記同様、操作者の利便性を大きく向上できるという本発明本来の効果を得ることができる。
【０１２８】
その他、一々例示はしないが、本発明は、その趣旨を逸脱しない範囲内において、種々の変更が加えられて実施されるものである。
【図面の簡単な説明】
【０１２９】
【図１】本発明の一実施形態の無線タグの全体概略構造を表す上面図である。
【図２】タグカードに備えられた付箋に備えられた無線タグ回路素子の機能的構成の一例を表すブロック図である。
【図３】サーバやプロジェクタ等を含む無線通信システム全体を表すシステム構成図である。
【図４】プロジェクタの詳細機能を表す機能ブロック図である。
【図５】高周波回路の詳細機能構成を表す機能ブロック図である。
【図６】制御回路の詳細機能を表す機能ブロック図である。
【図７】プロジェクタに備えられた投影制御部及び制御回路の実行する制御手順を表すフローチャートである。
【図８】無線タグ回路素子のＩＣ回路部に配置された、制御部の実行する制御手順を表すフローチャートである。
【図９】ＩＣ回路部に記憶される情報のデータ構成例を表す図である。
【図１０】ＩＣ回路部内に記憶されたデータ構造のさらに具体的な一例を表す図である。
【図１１】タグカード製造装置の一例を表す概念的構成図である。
【図１２】制御回路によって実行される制御手順を表すフローチャートである。
【図１３】タグカード製造時に端末又はタグカード製造装置の表示手段に表示される表示画面の一例を表す図である。
【図１４】タグカード製造時に端末又はタグカード製造装置の表示手段に表示される表示画面の一例を表す図である。
【図１５】ルートサーバにショートカットファイルを設ける変形例においてプロジェクタに備えられた投影制御部及び制御回路の実行する制御手順を表すフローチャートである。
【符号の説明】
【０１３０】
１                タグカード（無線タグ）
２                カード基材
４                ルートサーバ（アドレス管理サーバ）
５                端末
７                情報サーバ（ファイル格納サーバ）
１００            プロジェクタ（機器、無線通信機器）
１０４            投影制御部（機器情報取得手段、ファイル情報取得手段、
処理動作制御手段）
１５０            ＩＣ回路部
１５１            アンテナ（タグ側アンテナ）
１５７            制御部（返信制御手段）
２００            スキャナ部
２０１            高周波回路
２０２            制御回路（機器側情報アクセス手段、返信信号受信手段、
機器情報取得手段、ファイル情報取得手段、処理動作制御
手段）
２１０            アンテナ（機器側アンテナ）
２１２            送信部（機器側情報アクセス手段）
２１３            受信部（返信信号受信手段）
３０１            高周波回路（ファイル情報生成手段、機器情報生成手段、
アクセス情報生成手段、装置側情報アクセス手段）
３０２            制御回路（ファイル情報生成手段、機器情報生成手段、ア
クセス情報生成手段、装置側情報アクセス手段）
３０６            アンテナ（装置側アンテナ）
Ｔo               無線タグ回路素子
【図１】
2006260229.tif 000003
【図２】
2006260229.tif 000004
【図３】
2006260229.tif 000005
【図４】
2006260229.tif 000006
【図５】
2006260229.tif 000007
【図６】
2006260229.tif 000008
【図７】
2006260229.tif 000009
【図８】
2006260229.tif 000010
【図９】
2006260229.tif 000011
【図１０】
2006260229.tif 000012
【図１１】
2006260229.tif 000013
【図１２】
2006260229.tif 000014
【図１３】
2006260229.tif 000015
【図１４】
2006260229.tif 000016
【図１５】
2006260229.tif 000017